(57)【要約】【課題】  授業中の教室内における生徒と指導者（講師）の間の事件・事故等を未然に防止することにある。【解決手段】  教室管理システム１０は、教室を入退室する生徒及び指導者（講師）から発信される個人識別情報を受信し、これを入退室情報として入退室情報データベースに蓄積する入退室情報データベースサーバ２０と、入退室情報データベースから、生徒と指導者（講師）が各１名ずつとなっている教室情報を一定時間毎に取得する人数確認プログラムを有するＷｅｂサーバ３０と、人数確認プログラムによって該当教室が存在した場合に、該当教室を管理する管理者へ電子メールを送信するメールサーバ４０と、を備えた。【選択図】  図１
2009129117.tif 000002
【特許請求の範囲】
【請求項１】
授業中の教室の安全を管理する教室管理システムであって、
教室を入退室する生徒及び指導者（講師）から発信される個人識別情報を受信し、これを入退室情報として入退室情報データベースに蓄積する入退室情報データベースサーバと、
入退室情報データベースから、生徒と指導者（講師）が各１名ずつとなっている教室情報を取得する人数確認プログラムを有するＷｅｂサーバと、
人数確認プログラムによって該当教室が存在した場合に、該当教室を管理する管理者へ電子メールを送信するメールサーバと、
を備えたことを特徴とする教室管理システム。
【請求項２】
Ｗｅｂサーバの人数確認プログラムは、さらに、管理者からアクセス（ログイン）があった場合に、入退室情報データベースからその管理者の管理する教室の生徒数及び指導者（講師）数を取得し、これを出力装置に出力することを特徴とする請求項１記載の教室管理システム。
【請求項３】
Ｗｅｂサーバの人数確認プログラムは、さらに、管理者を統括する統括本部からアクセス（ログイン）があった場合に、入退室情報データベースから各教室ごとの生徒数及び指導者（講師）数を取得し、これを出力装置に出力することを特徴とする請求項１又は２記載の教室管理システム。
【発明の詳細な説明】
【技術分野】
【０００１】
本発明は、授業中の教室の安全を管理する教室管理システムであって、具体的には、教室に生徒と指導者（講師）が各１名ずつとなるような危険度の高い状況を把握できるようにして、教室の安全、ひいては生徒の安全を図るためのシステムに関するものである。
【背景技術】
【０００２】
従来、学校や学習塾・予備校等の教室の安全（セキュリティー）を図るための先行技術文献としては、以下のようなものがあった。
特許文献１は、学校等のセキュリティーシステムである。
特許文献２は、非接触型個人識別媒体を用いた学校管理システムである。
特許文献３は、出欠確認装置及び入室者管理装置その他である。
【０００３】
【特許文献１】特開２００７−０２６３４２号公報
【特許文献２】特開２００５−２４２５６０号公報
【特許文献３】特開２００３−１４１５９０号公報
【発明の開示】
【発明が解決しようとする課題】
【０００４】
上記先行技術文献（特許文献１〜３）に開示されたものは、主に以下の点を目的又は課題とするものである。
（１）学校や教室における事故・事件等の発生を迅速にキャッチできる技術、すなわち、事件・事故等発生後の迅速処理である。
（２）不法侵入者対策、すなわち、部外者への安全対策である。
【０００５】
しかしながら、上記のような目的又は課題だけでは、不十分である。すなわち、
（１）事件・事故等が発生してからでは遅いのであって、それらを未然に防止することが要求されている。
（２）また、過去には教室で指導者（講師）と生徒の間の殺傷事件も起きている。
【０００６】
従って、事件・事故等の未然防止及び部外者のみならず、関係者間における安全対策も必要となっている。
そこで、本発明は、関係者間、詳しくは授業中の教室内における生徒と指導者（講師）の間の事件・事故等を未然に防止することを目的として、教室の安全管理システムを完成させたものである。
【課題を解決するための手段】
【０００７】
上記目的を達成するために、第１の発明は、授業中の教室の安全を管理する教室管理システムであって、教室を入退室する生徒及び指導者（講師）から発信される個人識別情報を受信し、これを入退室情報として入退室情報データベースに蓄積する入退室情報データベースサーバと、入退室情報データベースから、生徒と指導者（講師）が各１名ずつとなっている教室情報を取得する人数確認プログラムを有するＷｅｂサーバと、人数確認プログラムによって該当教室が存在した場合に、該当教室を管理する管理者へ電子メールを送信するメールサーバと、を備えたことを特徴とするものである。
第２の発明は、Ｗｅｂサーバの人数確認プログラムは、さらに、管理者からアクセス（ログイン）があった場合に、入退室情報データベースからその管理者の管理する教室の生徒数及び指導者（講師）数を取得し、これを出力装置に出力することを特徴とする同教室管理システムである。
ここで、管理者が複数の教室を管理している場合には、その全ての教室情報を出力するようにする。
第３の発明は、Ｗｅｂサーバの人数確認プログラムは、さらに、管理者を統括する統括本部からアクセス（ログイン）があった場合に、入退室情報データベースから各教室ごとの生徒数及び指導者（講師）数を取得し、これを出力装置に出力することを特徴とする同教室管理システムである。
【発明の効果】
【０００８】
本発明によれば、以下のような効果を有する。
（１）管理者は、教室に生徒と指導者（講師）が各１名ずつとなっているセキュリティーの脆弱な状態を電子メールによって受信できるので、関係者間の事件・事故等を未然に防止することが可能となる。
（２）管理者からアクセス（ログイン）があった場合に、その管理者の管理する教室の生徒数及び指導者（講師）数を出力することができるので、管理者は教室の生徒数及び指導者（講師）数を常に把握でき、関係者間の事件・事故等の未然防止につながる。
（３）統括本部からアクセス（ログイン）があった場合に、各教室ごとの生徒数及び指導者（講師）数を常に把握でき、関係者間の事件・事故等の未然防止につながる。
【発明を実施するための最良の形態】
【０００９】
本発明の実施形態を図面に基づいて説明する。
図１は、本発明に係る教室管理システムの概念図である。
図１に示すように、教室管理システム１０は、教室を入退室する生徒及び指導者（講師）から発信される個人識別情報を受信し、これを入退室情報として入退室情報データベースに蓄積する入退室情報データベースサーバ２０と、入退室情報データベースから、生徒と指導者（講師）が各１名ずつとなっている教室情報を一定時間毎に取得する人数確認プログラムを有するＷｅｂサーバ３０と、人数確認プログラムによって該当教室が存在した場合に、該当教室を管理する管理者へ電子メールを送信するメールサーバ４０と、を備えたものである。
【００１０】
入退室情報データベースサーバ２０が、教室を入退室する生徒及び指導者（講師）から発信される個人識別情報を受信する手段としては、以下のようなものが考えられる。
（１）生徒及び指導者（講師）にＩＣチップを内蔵させたＩＣカード（非接触型）を所持させ、教室の入退室の際に、教室の出入口に設けられたリーダにそのＩＣカードをかざして得られた個人識別情報を受信する手法
（２）生徒及び指導者（講師）の持ち物にＩＣタグを取り付け、教室の入退室の際に、教室の出入口に設けられたＩＣタグ読取ゲートを通過することで得られた個人識別情報を受信する手法
（３）教室の入退室の際に、教室の出入口に設けられたリーダに生徒及び指導者（講師）の指紋や瞳孔等の生体識別情報を読み取らせて得られた個人識別情報を受信する手法
（４）その他に、時代の技術進化に合わせて対応するようにする。
【００１１】
Ｗｅｂサーバ３０の有する人数確認プログラムは、人数的に教室管理体制に一時的な脆弱さが生じるような情報を取得することを目的とする。従って、入退室情報データベースから、生徒と指導者（講師）が各１名ずつとなっている教室情報を一定時間毎に取得するもの以外に、例えば、以下のような教室情報を取得するようにしてもよい。
（１）指導者（講師）が１名もおらず、生徒のみとなっている教室情報
（２）指導者（講師）が女性１名で、後は男子生徒のみとなっている教室情報
（３）指導者（講師）が男性複数名で、後は女子生徒１名となっている教室情報
（４）その他
【００１２】
人数確認プログラムによって該当教室が存在した場合に、メールサーバ４０が該当教室を管理する管理者へその情報を「電子メール」で通知するが、これに限るものではなく、管理者へ直接その情報を通知できる手段であればよい。例えば、以下のようなものであってもよい。
（１）管理者の携帯電話・ＰＨＳへ通話によって音声情報を通知する。
（２）管理者のポケットベルへ通知する。
【００１３】
図２は、管理者用「教室情報（生徒数及び指導者（講師）数）」に関する出力画面である。
Ｗｅｂサーバ３０の人数確認プログラムは、管理者からアクセス（ログイン）があった場合に、入退室情報データベースからその統括する各教室ごとの生徒数及び指導者（講師）数を取得し、これを出力装置（例：モニター画面５０）に出力する。こうすることで、統括本部は、統括する教室の生徒数及び指導者（講師）数を逐次把握することができる。なお、管理者の管理する教室が複数ある場合には、管理する全ての教室が一覧で出力されるようにするとよい。
【００１４】
図３は、統括本部用「教室情報（生徒数及び指導者（講師）数）」に関する出力画面である。
Ｗｅｂサーバ３０の人数確認プログラムは、統轄本部からアクセス（ログイン）があった場合に、入退室情報データベースからその管理者の管理する教室の生徒数及び指導者（講師）数を取得し、これを出力装置（例：モニター画面６０）に出力する。こうすることで、管理者は、管理する教室の生徒数及び指導者（講師）数を逐次把握することができる。なお、人数確認プログラムによって人数的に教室管理体制に一時的な脆弱さが生じるような情報が取得された教室については、その教室の部分を識別できるような表示（例：着色で表示）するようにするとよい。
【産業上の利用可能性】
【００１５】
本発明は、学校や学習塾（個別指導塾等）・予備校など教育機関において、授業中の教室の安全を管理するセキュリティーシステムとして利用できるものである。但し、人の出入りがありながら密室になる可能性のある場所において幅広く利用できるものである。その一例として、以下のものがあげられる。
（１）会社・事務所等の会議室
（２）工場の倉庫・保管室
（３）飲食店
【図面の簡単な説明】
【００１６】
【図１】本発明に係る教室管理システムの概念図。
【図２】管理者用「教室情報（生徒数及び指導者（講師）数）」に関する出力画面。
【図３】統括本部用「教室情報（生徒数及び指導者（講師）数）」に関する出力画面。
【符号の説明】
【００１７】
１０  教室管理システム
２０  入退室情報データベースサーバ  
３０  Ｗｅｂサーバ
４０  メールサーバ
５０，６０  モニター画面
【図１】
2009129117.tif 000003
【図２】
2009129117.tif 000004
【図３】
2009129117.tif 000005